(57)【要約】 【課題】芳香成分を嗅ぐことによる生理作用や薬用作用がより確実な効果が求められるため、電源の位置や蓄電池の改善や芳香成分を鼻孔及び口腔部付近へ有効に送ることを可能とした芳香発生装置を提供するものである。【解決手段】頭部装着部1と電源2ａと熱源3ａを有し芳香源13を格納された芳香発生部4を有する耳介覆い型の耳介設置部５ａと前記耳介設置部５ａから中空の支持部６を介して芳香成分を鼻孔及び口腔部付近に揮発させる芳香放出部７を先端に有することを特徴とた芳香発生装置であり、一方の耳介設置部に電源5ｂを有し、前記電源５ｂから頭部設置部11内に電線10を配線し、他方の耳介設置部5ｃに通し熱源3ｂを有した芳香発生部4を有するヘッドホンの形状を有したものもでき、鼻孔及び口腔部付近を覆うカップ状の芳香放出部12を有し、耳介設置部5ｄに外部の電源より電気をえるためのコンセント付電線８を備えたものもできる。【選択図】  図１
2007151654.tif 000002
【特許請求の範囲】
【請求項１】
弾性体で形成された頭部装着部と前記頭部装着部の端部に設けた電源と熱源を有し芳香源を格納された芳香発生部を有する耳介覆い型の耳介設置部と前記耳介設置部から中空の支持部を介して芳香成分を鼻孔及び口腔部付近に揮発させる芳香放出部を先端に有することを特徴とする芳香発生装置。
【請求項２】
請求項１記載の芳香発生装置において、一方の耳介設置部に電源を有し、前記電源から前記頭部設置部内に電線を配線し、他方の耳介設置部に前記配線を通し熱源を設けた芳香発生部を有するヘッドホンの形状を有したことを特徴とする芳香発生装置。
【請求項３】
請求項１又は２記載の芳香発生装置において、前記耳介設置部に外部の電源より電気をえるためのコンセント付電線を備えるとともに鼻孔及び口腔部付近を覆うカップ状の芳香放出部を有したことを特徴とする芳香発生装置。
【請求項４】
請求項１から3のいずれか１項に記載の芳香発生装置において、前記耳介設置部に外部のパーソナルコンピュータのＵＳＢ（Ｕｎｉｖｅｒｓａｌ Ｓｅｒｉａｌ Ｂｕｓ）ポートより電源を得るために接続されるＵＳＢ接続端子を結線するＵＳＢケーブルを備えたことを特徴とする芳香発生装置。
【発明の詳細な説明】
【技術分野】
【０００１】
本発明は芳香成分を嗅ぐことによる生理作用や薬用作用がより確実な効果が求められることに対応するため、電源の位置や蓄電池の改善と芳香成分を鼻孔及び口腔部付近へ有効に送ることを可能とした芳香発生装置に関するものである。
【背景技術】
【０００２】
すでに出願済みの芳香発生装置としては、円盤状耳介覆い型ハンガー部を有する耳介設置部と、前記耳介設置部から可動式フレキを有する杆状支持部と、前記杆状支持部の先端に配置された芳香発生部を有する芳香発生装置や、前記芳香発生装置に加えて前記耳介設置部に電源を配置し前記耳介設置部から配線を通す杆状支持部の先端に熱源を設けた芳香発生部を有する芳香発生装置や、前記芳香発生装置に加えて筐体内の電源が配線を介して耳介設置部に設けられた芳香発生装置や、前記芳香発生装置に加えて電源と熱源と芳香発生部を備えた筐体の芳香発生部が管を介して杆状支持部の先端に設けた放出部に連通された芳香発生装置や、前記芳香発生装置に加えて耳介設置部に従来周知のスピーカー機能を内蔵する円盤状耳介覆い型ハンガー部を設けた芳香発生装置や、前記芳香発生装置に加えて耳介設置部の上に弾性体で形成された頭部装着部を設けた芳香発生装置や、前記芳香発生装置に加えて耳介設置部に替えて、クリップ状の止め具を設けたものが本発明と同一の発明者で同一の出願人が出願したものがある。（特願２００５−２２６１１１）
【発明の開示】
【発明が解決しようとする課題】
【０００３】
上記出願において、芳香源は杆状支持部の先端部に設ける構造であるが、使用目的によっては、長時間芳香源を保有する必要性がありより有効な効果が求められることもあり、電源の位置や蓄電池の改善や芳香成分を確実に鼻孔及び口腔部付近へ有効に送ることも必要とされる。
【課題を解決するための手段】
【０００４】
本発明に係る芳香発生装置は、弾性体で形成された頭部装着部と前記頭部装着部の端部に設けた電源と熱源を設け芳香源を格納された芳香発生部を有する耳介覆い型の耳介設置部と前記耳介設置部から中空の支持部を介して芳香成分を鼻孔及び口腔部付近に気化させる芳香放出部を先端に有するものであり、鼻孔及び口腔部付近に効率よく芳香され、格納された芳香源が中空の支持部内の管を通過し、芳香発生部の先端に配置される開閉部により量の調整ができ、気化した芳香成分を嗅ぐことにより、上記目的が達成されることとなり、格納された芳香源は目的に応じて入れ替えることができる。
【０００５】
前記に加えて、一方の耳介設置部に電源を有し、前記電源から前記頭部設置部内に電線を配線し、他方の耳介設置部に前記配線を通し熱源を設けた芳香発生部を有するヘッドホン形状を有する構成としたのものもできる。
【０００６】
前記二例に加えて、前記耳介設置部に外部の電源より電気をえるためのコンセント付電線を備えるとともに、鼻孔及び口腔部付近を覆うマスク形のカップ状の芳香放出部を有する構成もできる。
【０００７】
前記三例に加えて、前記耳介設置部に外部のパーソナルコンピュータのＵＳＢ（Ｕｎｉｖｅｒｓａｌ Ｓｅｒｉａｌ Ｂｕｓ）ポートより電源を得るために接続されるＵＳＢ接続端子を結線するＵＳＢケーブルを備えることもできる。
【発明の効果】
【０００８】
本発明により、芳香成分を嗅ぐことによる生理作用や薬用作用がより確実な効果が得られ、病気による症状の改善など使用目的によっては、長時間芳香源を保有することができるようになった。
【０００９】
また、中空でマスク形のカップ状の芳香発生部により芳香発生部を鼻孔及び口腔部付近に覆う形状にすることにより、芳香を嗅ぐことによる、生理作用や薬用作用をもたらす芳香成分のもつ有効性を最大に活用でき、使用する芳香源も無駄がなく使用できるようになった。
【発明を実施するための最良の形態】
【００１０】
以下に本発明の実施の形態を実施例となる図面を参照して具体的に説明する。  
【実施例１】
【００１１】
図１に示すように本発明の実施例に係る芳香発生装置９は、弾性体で形成された頭部装着部１と前記頭部装着部1の端部に設けた電源2ａと熱源3ａを有し芳香源13を格納された芳香発生部４を有する耳介覆い型の耳介設置部５ａと前記耳介設置部５ａから芳香成分を通過させる管を内蔵した中空の支持部６を介して芳香成分を鼻孔及び口腔部付近に揮発させる芳香放出部７を先端に有し、微量で鼻孔及び口腔部付近に効率よく芳香され、芳香源13を格納された芳香発生部４が中空の支持部６内の管を通過して芳香放出部７の先端部に配置される開閉部より量の調整ができ、格納された芳香源１３は目的に応じて入れ替える事ができる。
【００１２】
弾性体で形成された頭部装着部１と耳介覆い型の耳介設置部5ａは本体を支える構造となり、前記頭部装着部１は頭部に違和感無く装着させるため弾性体で軟質性のものが好ましく略円弧状の長さは３００ｍｍ内外とし、伸縮できる構造も可能であり、耳介設置部5ａは直径50ｍｍ内外の大きさで耳介を覆う形状であればよく、芳香源13の入れ替えのため開閉可能な構造とし、身体的に負担のかからない重量であることが必要で材質としてはＡＢＳ樹脂なども好ましい。
【００１３】
中空の支持部６は鼻孔及び口腔部付近への移動を簡易にするために、形状維持が可能なフレキシブルなチューブ部などから構成され、可撓鉄芯を内装し形状維持が可能な状態で屈曲することもでき、金属スパイラル管によって形成される場合もあり、表面は合成樹脂などのカバーを有することもでき、また、前記耳介設置部５ａの外側に回転可能な略円弧状に保形された前記支持部６も構成でき、材質は硬質プラスティックなどにより構成され、長さは前記耳介設置部から芳香発生部７まで１４０ｍｍ内外で、鼻孔及び口腔部付近への上下移動ができればよく、芳香発生部４から送られる芳香成分を通す管を内蔵する管は内径が3ｍｍ内外のビニールホースなど軟質ビニールのチューブを用いることもできる。
【００１４】
芳香源１３は植物精油や薬用成分など用いることができ、例えば多孔物質や圧縮紙などにしみ込ませたものをカセット式に入れ替え熱源３ａにより芳香成分が気化し芳香が発生するものとし、芳香放出部7は、芳香成分の無駄な浪費を防止するために、鼻孔及び口腔部付近を自在に可動し芳香成分の有効利用を促進するものであり、筒状容器など形状部の一部を切りかいて芳香発生部４から中空の支持部６内の管を通り送られた芳香成分の放出量を調節できる形状とすることもでき、部材は、ＰＢ（ポリブタジエン）、ＰＰ（ポリプロプレン）などの耐腐食性のある樹脂を用いて形成することも好ましい。
【００１５】
電源２ａは乾電池やボタン型電池などを耳介設置部５ａに内蔵し、ＬＥＤや電球・ニクロム線などの熱源３ａを用い、前記熱源３ａにより芳香発生部４に格納する芳香源１３が気化し中空の支持部６内の管を通る構造とすることができる。
【００１６】
耳介覆い型の耳介設置部５ａは、従来周知のスピーカー機能を内蔵する構造にする事もでき、耳介設置部５ａから配線したイヤホン端子をステレオなど入力端子に接続することにより音楽を聴き同時に目的に合った芳香が感受できる構造とすることもでき芳香成分を嗅ぐことによる生理作用などをより効果的に活用することもできる。
【実施例２】
【００１７】
図２に示すように本発明の実施例に係る芳香発生装置は一方の耳介覆い型の耳介設置部５ｂに電源２ｂを有し、前記電源２ｂから頭部設置部１１内に電線１０を配線し、他方の耳介設置部５ｃに前記電線１０を通し熱源３ｂにより芳香発生部４に格納する芳香源13を気化させ、芳香成分を通過させる管を内蔵した中空の支持部６を通過し、芳香放出部７より鼻孔及び口腔部付近に効率よく芳香成分を嗅ぐことが可能となる構造もでき、ヘッドホンの形状を有し、図１に係る特徴も兼ねる構造もできる。
【００１８】
電源２ｂは乾電池やボタン型電池などを内蔵し、前記電源２ｂから配線された電線１０は、頭部設置部１１内に内蔵され、他方の耳介設置部に接続する構造とすることもできる。
【実施例３】
【００１９】
図３に示すように本発明の実施例に係る芳香発生装置は、耳介設置部５ｄに外部の電源より電気をえるためのコンセント付電線８を備えるとともに、鼻孔及び口腔部付近を覆うカップ状の芳香放出部１２を備えた構造もでき、図１及び図２に係る特徴も兼ねることができる。
【００２０】
電源８は外部より電気をえるため、多量の電気の供給をえることができ、長時間の使用を可能とし、芳香成分を嗅ぐことによる生理作用や病気による症状の改善などに有効に作用できるものとなり、マスク形のカップ状の芳香放出部１２は鼻孔及び口腔部付近を覆う形状とし、中空の支持部６に内蔵された管を通過する芳香成分をより効果的に嗅ぐことができるように構成することもできる。
【００２１】
例えば図１に示す芳香発生装置において、芳香発生部７を図３に示したマスク形のカップ状の芳香発生部１２とする構成もでき、また加えて電源２ａを図３に示した外部の電源８として構成することもでき、どちらか１つの構成も可能である。
【００２２】
また図２に示す芳香発生装置において、芳香発生部７を図３に示したマスク形のカップ状芳香発生部１２とする構成もでき、加えて電源２ｂを図３に示した外部の電源８として構成することもでき、作業効率を考えると耳介設置部５ｂは中空とし耳介設置部５ｃに図３に示す耳介設置部５ｄの構成もでき、どちらか１つの構成も可能である。
【００２３】
マスク形のカップ状の芳香放出部１２は中空の立体形状となるように形状された中空カップ状のマスクであればよく、塩化ビニールや圧縮紙など立体形状を保つための材質であればよく、支持部６によって支えられる程度の重量が好ましく、鼻孔及び口腔部付近を覆うカップ状であるが、鼻や口まわりの顔面に沿うような形状が好ましい。
【実施例４】
【００２４】
図４に示すように本発明の実施例に係る芳香発生装置は、前記耳介設置部５ｅに外部のパーソナルコンピュータのＵＳＢ（Ｕｎｉｖｅｒｓａｌ Ｓｅｒｉａｌ Ｂｕｓ）ポートより電源を得るために接続されるＵＳＢ接続端子１５を結線するＵＳＢケーブル１４を備える構造もでき、図１から図３のいずれか1つに係る特徴も兼ねることができる。
【００２５】
ＵＳＢ接続端子１５を結線するＵＳＢケーブル１４はＵＳＢ（Ｕｎｉｖｅｒｓａｌ Ｓｅｒｉａｌ Ｂｕｓ）ポートより電源をえるため、パーソナルコンピュータ使用時に電気の供給をえることができ、長時間の使用を可能とし、パーソナルコンピュータ使用時に芳香成分を嗅ぐことによるリフレッシュやリラックスなどの改善などに有効に作用することもできる。
【００２６】
例えば図１に示す芳香発生装置において、芳香発生部７を図３に示したマスク形のカップ状の芳香発生部１２とする構成もでき、また加えて電源２ａを図４に示したＵＳＢ接続端子１５に結線するＵＳＢケーブル１４として外部の電気をえる構成とすることもでき、どちらか１つの構成も可能である。
【００２７】
また図２に示す芳香発生装置において、芳香発生部７を図３に示したマスク形のカップ状芳香発生部１２とする構成もでき、加えて電源２ｂを図４に示したＵＳＢ接続端子１５に結線するＵＳＢケーブル１４として外部の電気をえる構成することもでき、作業効率を考えると耳介設置部５ｂは中空とし耳介設置部５ｃに図４に示す耳介設置部５ｅの構成もでき、どちらか１つの構成も可能である。
【００２８】
加えて図３に示す芳香発生装置において、電源８を図４に示したＵＳＢ接続端子１５に結線するＵＳＢケーブル１４として外部の電気をえる構成とすることもできる。
【図面の簡単な説明】
【００２９】
【図１】実施例1となる芳香発生装置の正面図である。
【図２】実施例２となる芳香発生装置の正面図である。
【図３】実施例３となる芳香発生装置の正面図である。
【図４】実施例４となる芳香発生装置の正面図である。
【符号の説明】
【００３０】
１    頭部装着部
２a   電源
２ｂ  電源
３ａ  熱源
３ｂ  熱源
３ｃ  熱源
３ｄ  熱源
４    芳香発生部
５ａ  耳介設置部
５ｂ  耳介設置部
５ｃ  耳介設置部
５ｄ  耳介設置部
５ｅ  耳介設置部
６    支持部
７    芳香放出部
８    コンセント付き電線
９    芳香発生装置
１０  電線
１１  中空の頭部設置部
１２  カップ状の芳香発生部
１３  芳香源
１４  ＵＳＢケーブル
１５  ＵＳＢ接続端子
【図１】
2007151654.tif 000003
【図２】
2007151654.tif 000004
【図３】
2007151654.tif 000005
【図４】
2007151654.tif 000006